(57)【要約】      （修正有）【課題】画像処理動作の効率を確保しつつ、音声の取り込みにおける騒音の混入を抑制する。【解決手段】複合装置１は、マイクが音声を収集して出力する音声データを、本体ＣＰＵ２が、音声データメモリに記憶させる。本体ＣＰＵ２は、画像データに音声データメモリの音声データを付加する際、マイクの収集する音声データに含まれている雑音のレベルが、所定の限界閾値レベル以下のときにのみ、音声録音処理を行う。また、騒音が限界閾値レベルを超えていると、騒音レベルを低減させる騒音低減処理を行いつつ音声録音処理を行う。【選択図】図１
2016111472.tif 000002
【特許請求の範囲】
【請求項１】
音声を収集して音声データを出力する音声収集手段と、
前記音声データを音声記憶手段に記憶させる音声録音手段と、
画像データに前記音声データを付加するデータ編集手段と、
前記音声収集手段の収集する音声データに含まれている騒音のレベルが、所定の限界閾値レベル以下のときにのみ前記音声録音手段に前記音声録音動作を行わせる制御手段と、
を備えていることを特徴とする画像形成装置。
【請求項２】
前記画像形成装置は、
前記データ編集手段が前記音声データを付加した前記画像データを適宜の出力方式で出力するデータ出力手段を、
さらに備えていることを特徴とする請求項１記載の画像形成装置。
【請求項３】
前記画像形成装置は、
原稿の画像を読み取って画像データを出力する読取手段を、
さらに備え、
前記制御手段は、
前記騒音のレベルが前記限界閾値レベル以下であると、前記読取手段による原稿の読取動作と前記音声録音手段による音声録音動作を同時に実行させることを特徴とする請求項１または請求項２記載の画像形成装置。
【請求項４】
前記画像形成装置は、
前記騒音の逆位相音を生成する逆位相音生成手段と、
前記逆位相音を利用して前記騒音を低減させる騒音低減手段と、
を、さらに備え、
前記制御手段は、
前記騒音のレベルが前記限界閾値レベルを超えていると、前記騒音低減手段に該騒音を該限界閾値レベル以下に低減させて、騒音の低減された前記音声データを前記音声録音手段に音声録音させることを特徴とする請求項１から請求項３のいずれかに記載の画像形成装置。
【請求項５】
前記逆位相音生成手段は、
前記騒音を記憶する騒音記憶手段と、
前記騒音から前記逆位相音を変換する逆位相音変換手段と、
を備えていることを特徴とする請求項４記載の画像形成装置。
【請求項６】
前記逆位相音生成手段は、
前記騒音の逆位相音を記憶する逆位相音記憶手段を、
備えていることを特徴とする請求項４記載の画像形成装置。
【請求項７】
前記逆位相音生成手段は、
外部の騒音を収集する騒音収集手段と、
前記騒音収集手段の収集する前記騒音を逆位相音に変換する逆位相音変換手段と、
を備えていることを特徴とする請求項４記載の画像形成装置。
【請求項８】
前記騒音低減手段は、
前記逆位相音生成手段の生成する前記逆位相音を、前記音声収集手段の収集した前記音声データと合成させて、該音声データに含まれている騒音を低減させることを特徴とする請求項４から請求項７のいずれかに記載の画像形成装置。
【請求項９】
前記騒音低減手段は、
前記逆位相音生成手段の生成する前記逆位相音を、外部に拡声出力して、前記音声収集手段の収集する前記音声データから前記騒音を低減させることを特徴とする請求項４から請求項７のいずれかに記載の画像形成装置。
【請求項１０】
前記騒音は、
前記画像形成装置の動作音であることを特徴とする請求項１から請求項９のいずれかに記載の画像形成装置。
【請求項１１】
音声を収集して音声データを出力する音声収集処理ステップと、
前記音声データを音声記憶手段に記憶させる音声録音処理ステップと、
画像データに前記音声データを付加するデータ編集処理ステップと、
前記音声収集処理ステップで収集される音声データに含まれている騒音のレベルが、所定の限界閾値レベル以下のときにのみ前記音声録音処理ステップにおいて前記音声録音動作を行わせる制御処理ステップと、
を有することを特徴とする音声録音方法。
【請求項１２】
制御プロセッサに、
音声を収集して音声データを出力する音声収集処理と、
前記音声データを音声記憶手段に記憶させる音声録音処理と、
画像データに前記音声データを付加するデータ編集処理と、
前記音声収集処理で収集される音声データに含まれている騒音のレベルが、所定の限界閾値レベル以下のときにのみ前記音声録音処理において前記音声録音動作を行わせる制御処理と、
を実行させることを特徴とする音声録音プログラム。
【発明の詳細な説明】
【技術分野】
【０００１】
本発明は、画像形成装置、音声録音方法及び音声録音プログラムに関し、詳細には、音声を取り込む画像形成装置、音声録音方法及び音声録音プログラムに関する。
【背景技術】
【０００２】
マイク等の音声入力部から音声を取り込んで、音声データに変換し、変換した該音声データを画像データに付加してネットワーク経由で他の装置に出力したり、記憶媒体に蓄積出力する等の出力処理を行う画像形成装置が出現してきている。
【０００３】
このような画像形成装置は、画像データに関する解説等の情報を付加するのに、音声データが用いられることが多く、画像データの取り込み中に音声の取り込みを行うことが多い。ところが、画像形成装置が動作していると、動作音や周囲の騒音が取り込む音声に混入し、音声データの鮮明性に影響する。
【０００４】
そこで、従来、音声を録音再生する手段を有するファクシミリ装置であって、音声の録音時に機構系の動作を禁止するとともに、音声の録音終了時に機構系の動作禁止を解除することを特徴とするファクシミリ装置が提案されている（特許文献１参照）。また、本特許文献１では、音声を録音再生する手段と、受信したデータを出力する出力手段と、原稿を読み取る読み取り手段と、内部を冷却するファンのＯＮ／ＯＦＦを制御する手段と、受信データを蓄積する手段とを備えたファクシミリ装置において、音声を録音する際、装置がアイドル状態であれば、上記ファンをＯＦＦするとともに、原稿の読み取り動作を禁止し、受信データがあれば、上記蓄積手段に蓄積しておき、録音終了時点でファンをＯＮし、原稿の読み取り動作禁止を解除して、蓄積していた受信データを出力することが提案されている。
【０００５】
すなわち、この従来技術は、音声録音する際に、データ出力手段、読取手段、ファン等の機構系の動作を停止し、音声録音終了後に動作禁止を解除することで、録音音声に機構系の動作音が混入することを防止している。
【発明の概要】
【発明が解決しようとする課題】
【０００６】
しかしながら、上記公報記載の従来技術にあっては、音声の録音時には、画像形成装置であるファクシミリ装置の駆動系の動作を停止させて、音声録音終了後に動作禁止を解除している。したがって、音声録音を行っている間は、画像読取動作、画像出力動作等の画像形成装置の動作を停止している。その結果、画像形成装置の利用効率が低下し、利用効率を向上させる上で、改良の必要があった。
【０００７】
そこで、本発明は、画像処理動作の効率を確保しつつ音声の取り込みにおける騒音の混入を抑制することを目的としている。
【課題を解決するための手段】
【０００８】
上記目的を達成するために、請求項１記載の画像形成装置は、音声を収集して音声データを出力する音声収集手段と、前記音声データを音声記憶手段に記憶させる音声録音手段と、画像データに前記音声データを付加するデータ編集手段と、前記音声収集手段の収集する音声データに含まれている騒音のレベルが、所定の限界閾値レベル以下のときにのみ前記音声録音手段に前記音声録音動作を行わせる制御手段と、を備えていることを特徴としている。
【発明の効果】
【０００９】
本発明によれば、画像処理動作の効率を確保しつつ音声の取り込みにおける騒音の混入を抑制することができる。
【図面の簡単な説明】
【００１０】
【図１】本発明の第１実施例を適用した複合装置のブロック構成図。
【図２】操作パネルのブロック構成図。
【図３】音声録音処理を示すフローチャート。
【図４】第２実施例の複合装置のブロック構成図。
【図５】第２実施例の音声録音処理を示すフローチャート。
【図６】第３実施例の複合装置のブロック構成図。
【図７】第３実施例の音声録音処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図３は、本発明の画像形成装置、音声録音方法及び音声録音プログラムの第１実施例を示す図であり、図１は、本発明の画像形成装置、音声録音方法及び音声録音プログラムの第１実施例を適用した複合装置１のブロック構成図である。
【００１３】
図１において、複合装置（画像形成装置）１は、本体ＣＰＵ（Central Processing Unit）２、本体ＲＯＭ（Read Only Memory）３、本体ＲＡＭ（Random Access Memory）４、プロッタ部５、操作パネル６、画像読取部７、画像メモリ８及びＬＡＮ（Local Area Network）Ｉ／Ｆ９等を備えており、各部は、バス１０で接続されている。
【００１４】
本体ＲＯＭ３は、画像形成装置である複合装置１としての基本プログラム、本発明の音声録音の制御を行う音声録音プログラム及び必要なシステムデータを格納している。
【００１５】
本体ＣＰＵ２は、本体ＲＯＭ３内のプログラムに基づいて、本体ＲＡＭ４をワークメモリとして利用しつつ、複合装置１の各部を制御して、複合装置１としての基本処理を実行するとともに、本発明の音声録音の制御を行う音声録音方法を実行する。
【００１６】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像処理方法を実行する音声録音プログラムを読み込んで本体ＲＯＭ３に導入することで、後述する画像処理動作の効率を確保しつつ音声の取り込みにおける騒音の混入を抑制する音声録音方法を実行する画像形成装置として構築されている。この音声録音プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００１７】
すなわち、本体ＣＰＵ２は、画像データに音声データを付加するデータ編集処理を行い、また、音声録音動作を、該音声データに含まれている騒音が所定の限界閾値レベル以下であるときにのみ実行させる制御処理を行う。したがって、本体ＣＰＵ２は、データ編集手段及び制御手段として機能している。
【００１８】
プロッタ部５は、各種印刷方式のプロッタを用いることができ、例えば、電子写真方式で用紙（被記録媒体）に画像を記録出力するプロッタが用いられている。また、プロッタ部５は、用紙の片面にのみ画像形成する片面プリンタであってもよいし、用紙の両面に画像形成する両面プロッタであってもよい。さらに、プロッタ部５は、印刷済みの用紙に、パンチ処理、折り処理、ステープル処理等の後処理を行う後処理部を備えていてもよい。すなわち、プロッタ部５は、被記録媒体である用紙に画像を記録出力する記録処理を行う。
【００１９】
画像読取部（読取手段）７は、例えば、ＣＣＤ（Charge Coupled Device ）またはＣＭＯＳ（Complementary Metal Oxide Semiconductor ）を利用したイメージスキャナ等が利用されており、一般に、ＡＤＦ（Auto Document Feeder：自動原稿送り装置）を備えている。ＡＤＦ（原稿自動搬送手段）には、その原稿トレイ（原稿台）に複数枚の原稿がセットされ、ＡＤＦは、原稿トレイにセットされた原稿を１枚ずつ画像読取部７の原稿読取位置であるコンタクトガラス上に送給する。画像読取部７は、ＡＤＦから搬送されてきた原稿、または、コンタクトガラス上にセットされた原稿を走査し、原稿の画像を所定の解像度で読み取って、アナログの画像データとして出力する。画像読取部７は、図示しないＡ／Ｄ（Analog／Digital）を備えており、アナログの画像データをデジタルの画像データに変換して、本体ＣＰＵ２へ出力する。なお、画像読取部７は、カラー原稿を読み取るカラースキャナであってもよい。そして、ＡＤＦは、原稿トレイにセットされた原稿量を検出する原稿センサが配設されている。
【００２０】
画像メモリ８は、ＲＡＭ、ハードディスク等が用いられ、画像読取部７の読み取った原稿の画像データ、ＬＡＮ  Ｉ／Ｆ９が受信した画像データ等の画像データ等を本体ＣＰＵ２の制御下で、記憶する。
【００２１】
本体ＣＰＵ２は、画像メモリ８に記憶されている画像データを読み出して、ＬＡＮ  Ｉ／Ｆ９を介したネットワーク上の端末への転送出力処理を行い、また、プロッタ部５による記録出力処理を行う。この場合、本体ＣＰＵ２は、画像データを、ＴＩＦＦ（Tag Image File Format）、ＪＰＥＧ（Joint Photographic Experts Group）、ＰＤＦ（Portable Document Format）の形式に変換して画像メモリ８に格納する。
【００２２】
ＬＡＮ  Ｉ／Ｆ（データ出力手段）９は、ネットワーク、例えば、ＬＡＮ（Local Area Network）に接続され、また、該ネットワークに接続された回線を介して他のネットワークに接続される。ＬＡＮ  Ｉ／Ｆ９は、該ネットワーク上の端末や該他のネットワーク上の端末（装置）、例えば、パーソナルコンピュータやワークステーション等との間で、画像データや電子メールの交換、特に、音声データの付加された画像データの送信を行う。なお、データ出力手段としては、音声を付加した画像データを出力することのできる機能を有する機能部であれば、ＬＡＮ  Ｉ／Ｆ９に限るものではなく、例えば、外部あるいは内部の記憶部へ記憶出力するものであってもよい。
【００２３】
操作パネル６は、図２に示すように、操作部ＣＰＵ１１、操作部ＲＯＭ１２、操作部ＲＡＭ１３、音声出力部１４、音声録音キー１５、録音時間設定キー１６、表示部１７、ＣＯＤＥＣ（COmpresser/DECompressor：圧縮／伸張部）１８、音声データメモリ１９、マイク２０、スキャンキー２１及びノイズデータメモリ２２等を備えている。
【００２４】
操作部ＲＯＭ１２は、操作パネル６としてのプログラム、本発明の音声録音プログラムのうち操作パネル６として実行すべき部分のプログラムやシステムデータを格納している。
【００２５】
操作部ＣＰＵ１１は、操作部ＲＯＭ１２内のプログラムに基づいて、操作部ＲＡＭ１３をワークメモリとして利用しつつ、操作パネル６の各部を制御して、操作パネル６としての処理を実行する。特に、操作部ＣＰＵ１１は、本体ＣＰＵ２の制御下で、マイク２０による音声の取り込み、音声録音処理を含む本発明の操作パネル６における音声録音処理を制御する。
【００２６】
音声出力部１４は、例えば、スピーカ及び音声出力回路等で構成され、操作部ＣＰＵ１１の制御下で、音声データを音声として拡声出力する。
【００２７】
音声録音キー１５は、音声録音をスタートさせるキーであり、操作情報を操作部ＣＰＵ１１に出力する。
【００２８】
録音時間設定キー１６は、録音時間を設定するのに使用され、録音時間としては、例えば、１秒刻みで設定することができる。なお、録音時間の設定としては、任意の時間を１秒刻みで設定する方法に限るものではなく、例えば、操作部ＲＯＭ１２に、予め複数の録音時間を登録して、録音時間設定キー１６で、この複数の録音時間のうち、今回の音声録音に使用する録音時間を選択してもよい。
【００２９】
表示部１７は、例えば、液晶ディスプレイ等が用いられ、操作部ＣＰＵ１１の制御下で、表示データを表示出力する。特に、表示部１７は、本発明の音声録音を伴う画像処理に必要な各種情報を、操作部ＣＰＵ１１の制御下で表示する。
【００３０】
ＣＯＤＥＣ１８は、操作部ＣＰＵ１１の制御下で、音声データの圧縮、伸長を制御する。例えば、ＣＯＤＥＣ１８は、音声データを、ＷＡＶ（RIFF waveform Audio Format）やＭＰ３（MPEG Audio Layer-3）等のディジタルデータに変換する。
【００３１】
音声データメモリ（音声記憶手段）１９は、マイク２０から取り込まれた音声及びＣＯＤＥＣ１８で圧縮／伸長された音声データを記憶する。
【００３２】
マイク（音声収集手段）２０は、マイクロフォン及び増幅回路等を備え、外部の音、特に、操作者の音声を収集して、音声データを出力する。
【００３３】
スキャンキー２１は、画像読取部７による原稿の読取開始を指示操作するのに使用される。また、操作パネル６は、図示しないが、プロッタ部５による用紙への画像の記録開始を指示操作するプリントキ−等が設けられている。なお、音声録音キー１５、スキャンキー２１、録音時間設定キー１６等の各キーは、ハードキーであってもよいし、表示部１７がタッチパネルを備えているときには、表示部１７に表示させるソフトキーであってもよい。
【００３４】
ノイズデータメモリ（騒音記憶手段）２２は、例えば、ＮＶＲＡＭ（Non Volatile ＲＡＭ）等が用いられており、予め複合装置１の周囲の騒音、複合装置１の動作音等の騒音に対応する騒音データが収集されてノイズキャンセリングデータとして記憶されている。本体ＣＰＵ２は、マイク２０が取り込んだ音声データに含まれている騒音に対応するノイズキャンセリングデータをノイズデータメモリ２２から読み出し、逆位相に変換して該音声データに掛け合わせることで、該音声データからノイズを低減させる。
【００３５】
なお、ノイズデータメモリ２２は、騒音データを、騒音の位相を逆位相にした音のデータをノイズキャンセリングデータとして記憶していてもよい。この場合には、本体ＣＰＵ２は、ノイズデータメモリ２２から読み出したノイズキャンセリングデータをそのまま音声データに掛けあわせてノイズを低減させる。さらに、ノイズデータメモリ２２は、騒音が動作音であるときには、複合装置１の各種動作モード（画像処理動作）における動作音のデータ、または、該動作音の位相を逆位相にした音のデータが格納される。この場合、本体ＣＰＵ２は、複合装置１の動作モード（動作状態）に応じたノイズキャンセリングデータを、ノイズデータメモリ２２から読み出す。したがって、本体ＣＰＵ２及びノイズデータメモリ２２は、騒音の逆位相音を生成する逆位相音生成手段として機能し、また、本体ＣＰＵ２は、逆位相音を利用して騒音を低減させる騒音低減手段として機能している。
【００３６】
そして、本体ＣＰＵ２は、マイク２０から取り込んだ音声をＣＯＤＥＣ１８で適宜の音声データに変換して、一旦、音声データメモリ１９へ保管した後、画像データに付加して、ＬＡＮ  Ｉ／Ｆ９を介して他の端末に送信出力等の出力処理を行う。この場合、本体ＣＰＵ２は、マイク２０の収集する音声に含まれる騒音が、所定の限界閾値レベル以下のときのみ、音声データを音声データメモリ１９へ記憶する音声録音処理を行う。また、本体ＣＰＵ２は、該騒音が限界閾値レベルを超えていると、該騒音を少なくとも限界閾値レベル以下に抑制する騒音低減処理を施して、音声データメモリ１９へ記憶する音声録音処理を行う。そして、本体ＣＰＵ２は、音声データメモリ１９に記憶されている音声データを、画像データに付加する音声録音方法を実行する。すなわち、本体ＣＰＵ２は、騒音が限界閾値レベル以下であると、マイク２０からの音声データをそのまま画像データに付加し、騒音が該限界閾値レベルを超えていると、音声データに含まれる該騒音を低減させる騒音低減処理を行った後、画像データに付加する。本実施例の複合装置１の本体ＣＰＵ２は、この騒音低減処理として、ノイズデータメモリ２２に記憶されているノイズキャンセリングデータを、そのまま、または、逆位相にして、音声データに掛け合わせて騒音を低減させる騒音低減処理を行う。
【００３７】
したがって、本体ＣＰＵ２は、音声データを音声記憶手段としての音声データメモリ１９に記憶させる音声録音処理を行い、音声録音手段として機能している。また、本体ＣＰＵ２は、画像データに音声データを付加するデータ編集処理を行い、データ編集手段として機能している。さらに、本体ＣＰＵ２は、音声収集手段としてのマイク２０の収集する音声データに含まれている騒音のレベルが、所定の限界閾値レベル以下のときにのみ音声録音動作を行う制御処理を行ない、制御手段として機能している。
【００３８】
次に、本実施例の作用を説明する。本実施例の複合装置１は、画像処理動作の効率を確保しつつ音声の取り込みにおける騒音の混入を抑制する。
【００３９】
複合装置１は、マイク２０から取り込んだ操作者の音声を音声データに変換して、画像データに付加して他の端末に送信出力する等の音声録音処理を行う。複合装置１は、この音声録音処理を伴う画像処理動作を、マイク２０に含まれている騒音と逆位相のノイズキャンセリングデータを掛け合わせることで、画像処理動作の効率を確保しつつ音声の取り込みにおける騒音の混入を抑制する状態で行う。
【００４０】
すなわち、本実施例の複合装置１は、図３に示すように、本体ＣＰＵ２が、スキャンキー２１が操作（押下）されると（ステップＳ１０１）、音声録音キー１５が操作（押下）されたかチェックする（ステップＳ１０２）。
【００４１】
ステップＳ１０２で、音声録音キー１５が操作されないとき（ステップＳ１０２で、ＮＯのとき）、本体ＣＰＵ２は、画像読取部７を駆動させて原稿読取動作を行わせ、全ての原稿の読み取りが完了すると、画像処理を終了する（ステップＳ１０３）。
【００４２】
ステップＳ１０２で、音声録音キー１５が操作されると（ステップＳ１０２で、ＹＥＳのとき）、本体ＣＰＵ２は、動作状態を判別する（ステップＳ１０４）。この動作状態は、ノイズデータメモリ２２に動作データまたは該動作データの逆位相データが動作モードに対応して記憶されているときには、その動作モード（動作状態）であり、例えば、プリント動作中であるかどうか等である。
【００４３】
次に、本体ＣＰＵ２は、騒音レベルが予め設定されている限界閾値より大きいかチェックする（ステップＳ１０５）。本体ＣＰＵ２は、例えば、操作者が音声入力を行う前に、マイク２０が収集する音声データ、すなわち、複合装置１の周囲の環境音（複合装置１の発生する動作音を含む音）を騒音として取得して、その環境音レベルを騒音レベルとして検出する。また、限界閾値は、予め初期値として、本体ＲＯＭ３等に格納されているが、操作者が、音声データに対して含まれていることを許容する騒音レベルを、適宜、操作パネル６の操作等によって入力することもできる。
【００４４】
ステップＳ１０５で、騒音レベルが限界閾値以下であると（ステップＳ１０５で、ＮＯのとき）、本体ＣＰＵ２は、画像読取部７を駆動させて、セットされている枚数の原稿を画像読取部７に読み取らせる読み取りを開始する（ステップＳ１０６）。
【００４５】
本体ＣＰＵ２は、原稿の読み取りを開始させると、マイク２０に操作者の音声を収集させ（ステップＳ１０７）、収集した音声の音声データを音声データメモリ１９に格納する音声録音を開始する（ステップＳ１０８）。本体ＣＰＵ２は、この音声録音においては、ＣＯＤＥＣ１８でデータ圧縮して、圧縮後の音声データを音声データメモリ１９へ格納してもよい。
【００４６】
本体ＣＰＵ２は、操作者による音声録音キー１５による録音終了操作があるか、または、録音時間設定キー１６で設定された録音時間が経過すると、録音処理を終了する。
【００４７】
したがって、この場合、原稿の読み取りを行いつつ、周囲騒音が限界閾値以下の状態で音声録音を行うことができる。
【００４８】
ステップＳ１０５で、騒音レベルが限界閾値よりも大きいと（ステップＳ１０５で、ＹＥＳのとき）、本体ＣＰＵ２は、画像読取部７を駆動させて、セットされている枚数の原稿を画像読取部７に読み取らせる読み取りを開始する（ステップＳ１０９）。本体ＣＰＵ２は、原稿の読み取りを開始すると、マイク２０に操作者の音声を収集させるとともに（ステップＳ１１０）、ノイズデータメモリ２２からノイズキャンセリングデータを読み出す（ステップＳ１１１）。なお、このとき、本体ＣＰＵ２は、騒音が、主として動作音であると、ステップＳ１０４で取得した動作状態に応じてノイズデータメモリ２２に格納されているノイズキャンセリングデータを読み出す。
【００４９】
本体ＣＰＵ２は、ノイズキャンセリングデータを利用してマイク２０の収集した音声データから騒音を低減させる騒音除去処理を行う（ステップＳ１１２）。本体ＣＰＵ２は、この騒音除去処理を、ノイズキャンセリングデータが、逆位相されていない騒音データであるときには、逆位相データを生成し、該逆位相データを音声データに掛け合わせることで、音声データから騒音を低減させる。また、本体ＣＰＵ２は、ノイズキャンセリングデータが逆位相データであるときには、そのまま逆位相のノイズキャンセリングデータを、マイク２０の収集した音声データに掛け合わせることで、騒音を音声データから削減させる。
【００５０】
本体ＣＰＵ２は、騒音を除去した音声データを、音声データメモリ１９に格納する音声録音を開始する（ステップＳ１０８）。
【００５１】
本体ＣＰＵ２は、操作者による音声録音キー１５による録音終了操作があるか、または、録音時間設定キー１６で設定された録音時間が経過すると、録音処理を終了する。
【００５２】
したがって、この場合においても、原稿の読み取りを行いつつ、周囲騒音が限界閾値以下の状態で音声録音を行うことができる。
【００５３】
このように、本実施例の複合装置１は、音声を収集して音声データを出力するマイク（音声収集手段）２０と、前記音声データを音声データメモリ（音声記憶手段）１９に記憶させる本体ＣＰＵ（音声録音手段）２と、画像データに前記音声データを付加する本体ＣＰＵ（データ編集手段）２と、マイク２０の収集する音声データに含まれている騒音のレベルが、所定の限界閾値レベル以下のときにのみ前記音声録音手段としての本体ＣＰＵ２に前記音声録音動作を行わせる本体ＣＰＵ（制御手段）２と、を備えている。
【００５４】
したがって、騒音のレベルが限界閾値レベル以下であると、複合装置１の動作を妨げることなく、音声の録音を行ない、画像処理動作の効率を確保しつつ音声の取り込みにおける騒音の混入を抑制することができる。
【００５５】
また、本実施例の複合装置１は、音声を収集して音声データを出力する音声収集処理ステップと、前記音声データを音声データメモリ（音声記憶手段）１９に記憶させる音声録音処理ステップと、画像データに前記音声データを付加するデータ編集処理ステップと、前記音声収集処理ステップで収集される音声データに含まれている騒音のレベルが、所定の限界閾値レベル以下のときにのみ前記音声録音処理ステップにおいて前記音声録音動作を行わせる制御処理ステップと、を有する音声録音方法を実行する。
【００５６】
したがって、騒音のレベルが限界閾値レベル以下であると、複合装置１の動作を妨げることなく、音声の録音を行ない、画像処理動作の効率を確保しつつ音声の取り込みにおける騒音の混入を抑制することができる。
【００５７】
さらに、本実施例の複合装置１は、本体ＣＰＵ２等の制御プロセッサに、音声を収集して音声データを出力する音声収集処理と、前記音声データを音声データメモリ（音声記憶手段）１９に記憶させる音声録音処理と、画像データに前記音声データを付加するデータ編集処理と、前記音声収集処理で収集される音声データに含まれている騒音のレベルが、所定の限界閾値レベル以下のときにのみ前記音声録音処理において前記音声録音動作を行わせる制御処理と、を実行させる音声録音プログラムを搭載している。
【００５８】
したがって、騒音のレベルが限界閾値レベル以下であると、複合装置１の動作を妨げることなく、音声の録音を行ない、画像処理動作の効率を確保しつつ音声の取り込みにおける騒音の混入を抑制することができる。
【００５９】
また、本実施例の複合装置１は、前記データ編集手段である本体ＣＰＵ２が音声データを付加した画像データを適宜の出力方式で出力するＬＡＮＩ／Ｆ９等のデータ出力手段を、備えている。
【００６０】
したがって、騒音のレベルが限界閾値レベル以下であると、複合装置１の動作を妨げることなく、音声の録音を行ない、該音声を付加した画像データを出力するという画像処理動作の効率を確保しつつ音声の取り込みにおける騒音の混入を抑制することができる。
【００６１】
さらに、本実施例の複合装置１は、原稿の画像を読み取って画像データを出力する画像読取部（読取手段）７を、さらに備え、前記制御手段である本体ＣＰＵ２が、前記騒音のレベルが前記限界閾値レベル以下であると、画像読取部による原稿の読取動作と音声録音動作を同時に実行する。
【００６２】
したがって、騒音のレベルが限界閾値レベル以下であると、複合装置１の動作を妨げることなく、画像の読み取りと音声の録音を行ない、画像処理動作の効率を確保しつつ音声の取り込みにおける騒音の混入を抑制することができる。
【００６３】
また、本実施例の複合装置１は、前記騒音の逆位相音を生成する逆位相音生成手段としてのノイズデータメモリ２２、本体ＣＰＵ２と、前記逆位相音を利用して前記騒音を低減させる本体ＣＰＵ（騒音低減手段））と、を、さらに備え、前記制御手段としての本体ＣＰＵ２が、前記騒音のレベルが前記限界閾値レベルを超えていると、該騒音を該限界閾値レベル以下に低減させて、騒音の低減された前記音声データを前記音声データメモリ１９に音声録音させる。
【００６４】
したがって、騒音が限界閾値レベルを超えている場合においても、その騒音を少なくとも限界閾値レベル以下に低減させた後に、音声を録音することができる。その結果、複合装置１の動作を妨げることなく、音声の録音を行なって、画像処理動作の効率をより一層向上させつつ、音声の取り込みにおける騒音の混入を抑制することができる。
【００６５】
さらに、本実施例の複合装置１は、前記逆位相音生成手段が、前記騒音を記憶するノイズデータメモリ（騒音記憶手段）２２と、前記騒音から前記逆位相音を変換する本体制御手段（逆位相音変換手段）２と、を備えている。
【００６６】
したがって、騒音が限界閾値レベルを超えている場合においても、簡単に、その騒音を少なくとも限界閾値レベル以下に低減させた後に、音声を録音することができる。その結果、複合装置１の動作を妨げることなく、音声の録音を行なって、画像処理動作の効率をより一層向上させつつ、音声の取り込みにおける騒音の混入を抑制することができる。
【００６７】
また、本実施例の複合装置１は、前記逆位相音生成手段が、前記騒音の逆位相音を記憶するノイズデータメモリ（逆位相音記憶手段）２２を、備えている。
【００６８】
したがって、騒音が限界閾値レベルを超えている場合においても、簡単にかつより効率的に、その騒音を少なくとも限界閾値レベル以下に低減させた後に、音声を録音することができる。その結果、複合装置１の動作を妨げることなく、音声の録音を行なって、画像処理動作の効率をより一層向上させつつ、音声の取り込みにおける騒音の混入を抑制することができる。
【００６９】
さらに、本実施例の複合装置１は、前記騒音低減手段としての本体ＣＰＵ２が、前記逆位相音生成手段の生成する前記逆位相音を、前記マイク（音声収集手段）２０の収集した前記音声データと合成させて、該音声データに含まれている騒音を低減させる。
【００７０】
したがって、騒音が限界閾値レベルを超えている場合においても、簡単にかつ効率的に、その騒音を少なくとも限界閾値レベル以下に低減させた後に、音声を録音することができる。その結果、複合装置１の動作を妨げることなく、音声の録音を行ない、画像処理動作の効率をより一層向上させつつ、音声の取り込みにおける騒音の混入を抑制することができる。
【実施例２】
【００７１】
図４及び図５は、本発明の画像形成装置、音声録音方法及び音声録音プログラムの第２実施例を示す図であり、図４は、本発明の画像形成装置、音声録音方法及び音声録音プログラムの第２実施例を適用した複合装置３０のブロック構成図である。
【００７２】
なお、本実施例は、上記第１実施例の複合装置１と同様の複合装置に適用したものである。そこで、本実施例の説明においては、第１実施例の複合装置１の本体だけでなく、操作パネル６を含めて、第１実施例の複合装置１と同様の構成部分については、同一の符号を、そのまま用いて説明する。
【００７３】
本実施例の複合装置３０は、第１実施例と同様に、本体ＣＰＵ２、本体ＲＯＭ３、本体ＲＡＭ４、プロッタ部５、操作パネル６、画像読取部７、画像メモリ８、ＬＡＮＩ／Ｆ９等を備えているとともに、ノイズデータメモリ３１及びノイズ出力部３２等を備えている。複合装置３０は、上記各部が、バス１０によって接続されている。
【００７４】
操作パネル６は、第１実施例と同様の構成であるが、本実施例においては、ノイズデータメモリ２２を備えていなくてもよい。
【００７５】
ノイズデータメモリ（記憶手段）３１は、例えば、ＮＶＲＡＭ等が用いられており、予め複合装置３０の周囲の騒音、複合装置３０の動作音等の騒音に対応する騒音データが収集されてノイズキャンセリングデータとして記憶されている。なお、ノイズデータメモリ２２は、騒音データを、騒音の位相を逆位相にした音のデータをノイズキャンセリングデータとして記憶していてもよい。ノイズデータメモリ２２は、騒音が動作音であるときには、複合装置３０の各種動作モード（画像処理動作）における動作音のデータ、または、該動作音の位相を逆位相にした音のデータがノイズキャンセリングデータとして格納される。
【００７６】
ノイズ出力部３２は、例えば、スピーカ及び音声出力回路等で構成され、本体ＣＰＵ２の制御下で、ノイズデータメモリ３１のノイズキャンセリングデータを、騒音の逆位相の音状態で外部に拡声出力する。すなわち、ノイズ出力部３２は、ノイズキャンセル音を拡声出力する。
【００７７】
次に、本実施例の作用を説明する。本実施例の複合装置３０は、騒音と逆位相のノイズキャンセル音をノイズ出力部３２から出力することで、画像処理動作の効率を確保しつつ音声の取り込みにおける騒音の混入を抑制する。
【００７８】
複合装置３０は、本体ＣＰＵ２の制御下で、マイク２０から取り込んだ操作者の音声を音声データに変換して、画像データに付加して他の端末に送信出力する等の音声付加画像データ出力処理等の音声録音処理を図５に示すように行う。複合装置１は、この音声録音処理を伴う画像処理動作を、騒音と逆位相のノイズキャンセル音をノイズ出力部３２から外部に拡声出力することで、画像処理動作の効率を確保しつつ音声の取り込みにおける騒音の混入を抑制する状態で行う。なお、図５において、図３と同様の処理ステップには、同一のステップナンバを付与して、その説明を簡略化する。
【００７９】
本体ＣＰＵ２は、スキャンキー２１が操作（押下）されると（ステップＳ１０１）、音声録音キー１５が操作（押下）されたかチェックする（ステップＳ１０２）。
【００８０】
ステップＳ１０２で、音声録音キー１５が操作されないと、本体ＣＰＵ２は、画像読取部７を駆動させて原稿読取動作を行わせ、全ての原稿の読み取りが完了すると、画像処理を終了する（ステップＳ１０３）。
【００８１】
ステップＳ１０２で、音声録音キー１５が操作されると、本体ＣＰＵ２は、動作状態を判別して（ステップＳ１０４）、騒音レベルが予め設定されている限界閾値より大きいかチェックする（ステップＳ１０５）。
【００８２】
ステップＳ１０５で、騒音レベルが限界閾値以下であると、本体ＣＰＵ２は、画像読取部７を駆動させて、セットされている枚数の原稿を画像読取部７に読み取らせる読み取りを開始する（ステップＳ１０６）。
【００８３】
本体ＣＰＵ２は、原稿の読み取りを開始させると、マイク２０に操作者の音声を収集させ（ステップＳ１０７）、収集した音声の音声データを音声データメモリ１９に格納する音声録音を開始する（ステップＳ１０８）。
【００８４】
本体ＣＰＵ２は、操作者による音声録音キー１５による録音終了操作があるか、または、録音時間設定キー１６で設定された録音時間が経過すると、録音処理を終了する。
【００８５】
したがって、この場合、原稿の読み取りを行いつつ、周囲騒音が限界閾値以下の状態で音声録音を行うことができる。
【００８６】
ステップＳ１０５で、騒音レベルが限界閾値よりも大きいと、本体ＣＰＵ２は、画像読取部７を駆動させて、セットされている枚数の原稿を画像読取部７に読み取らせる読み取りを開始する（ステップＳ１０９）。本体ＣＰＵ２は、原稿の読み取りを開始すると、マイク２０に操作者の音声を収集させるとともに（ステップＳ２０１）、ノイズデータメモリ３１からノイズキャンセリングデータを読み出す（ステップＳ２０２）。なお、このとき、本体ＣＰＵ２は、騒音が、主として動作音であると、ステップＳ１０４で取得した動作状態に応じてノイズデータメモリ３１に格納されているノイズキャンセリングデータを読み出す。
【００８７】
本体ＣＰＵ２は、ノイズキャンセリングデータを、騒音の逆位相の状態のノイズキャンセル音を、ノイズ出力部３２から出力させ、騒音が低減された状態でマイク２０に音声データを収集させる（ステップＳ２０３、Ｓ２０１）。すなわち、本体ＣＰＵ２は、ノイズキャンセリングデータが、逆位相されていない音データであるときには、逆位相データを生成し、該逆位相のノイズキャンセルをノイズ出力部３２に拡声出力させる。本体ＣＰＵ２は、ノイズキャンセリングデータ（騒音データ）が、逆位相されている音データであると、そのままノイズキャンセル音としてノイズ出力部３２に拡声出力させる。騒音と逆位相のノイズキャンセル音が出力されると、騒音が出力されるノイズキャンセル音によって打ち消され、騒音の打ち消された音声がマイク２０に音声データとして収集される。
【００８８】
本体ＣＰＵ２は、騒音が低減された音声データを、音声データメモリ１９に格納する音声録音を開始する（ステップＳ１０８）。
【００８９】
本体ＣＰＵ２は、操作者による音声録音キー１５による録音終了操作があるか、または、録音時間設定キー１６で設定された録音時間が経過すると、録音処理を終了する。
【００９０】
したがって、この場合においても、原稿の読み取りを行いつつ、周囲騒音が限界閾値以下の状態で音声録音を行うことができる。
【００９１】
このように、本実施例の複合装置３０は、前記騒音低減手段としての本体ＣＰＵ２及びノイズ出力部３２が、前記逆位相音生成手段の生成する前記逆位相音を、外部に拡声出力して、前記マイク（音声収集手段）２０の収集する前記音声データから前記騒音を低減させる。すなわち、本体ＣＰＵ２が、ノイズデータメモリ３１に記憶されているノイズキャンセリングデータを読み出して、ノイズ出力部３２からノイズキャンセル音として、出力させて、マイク２０の収集する音声から騒音を低減させる。
【００９２】
したがって、マイク２０が音声を収集する段階で、騒音を限界閾値以下に低減させた状態とすることができ、騒音を少なくとも限界閾値レベル以下に低減させた音声を録音することができる。その結果、複合装置１の動作を妨げることなく、音声の録音を行ない、画像処理動作の効率をより一層向上させつつ、音声の取り込みにおける騒音の混入を抑制することができる。
【実施例３】
【００９３】
図６及び図７は、本発明の画像形成装置、音声録音方法及び音声録音プログラムの第２実施例を示す図であり、図４は、本発明の画像形成装置、音声録音方法及び音声録音プログラムの第２実施例を適用した複合装置４０のブロック構成図である。
【００９４】
なお、本実施例は、上記第１実施例の複合装置１と同様の複合装置に適用したものである。そこで、本実施例の説明においては、第１実施例の複合装置１の本体だけでなく、操作パネル６を含めて、第１実施例の複合装置１と同様の構成部分については、同一の符号を、そのまま用いて説明する。
【００９５】
本実施例の複合装置４０は、第１実施例と同様に、本体ＣＰＵ２、本体ＲＯＭ３、本体ＲＡＭ４、プロッタ部５、操作パネル６、画像読取部７、画像メモリ８、ＬＡＮＩ／Ｆ９等を備えているとともに、ノイズ収集マイク４１及び位相変換ノイズ出力部４２等を備えている。複合装置４０は、上記各部が、バス１０によって接続されている。
【００９６】
操作パネル６は、第１実施例と同様の構成であるが、本実施例においては、ノイズデータメモリ２２を備えていなくてもよい。
【００９７】
ノイズ収集マイク４１（騒音収集手段）４１は、マイクロフォン及び増幅回路等を備え、外部の音、特に、操作者による音声を取り込む際の周囲騒音を取り込む。
【００９８】
位相変換ノイズ出力部４２は、位相変換回路、スピーカ及び増幅回路等を備えており、ノイズ収集マイク４１の取り込んだ騒音を、逆位相に変換して、位相変換ノイズキャンセル音を生成して、拡声出力する。
【００９９】
次に、本実施例の作用を説明する。本実施例の複合装置４０は、音声録音時に騒音を収集して該騒音の逆位相のノイズキャンセル音を拡声出力することで、画像処理動作の効率を確保しつつ音声の取り込みにおける騒音の混入を抑制する。
【０１００】
複合装置４０は、本体ＣＰＵ２の制御下で、マイク２０から取り込んだ操作者の音声を音声データに変換して、画像データに付加して他の端末に送信出力する等の音声録音処理等の音声録音処理を図７に示すように行う。複合装置１は、この音声録音処理を伴う画像処理動作を、音声録音時に騒音を収集して該騒音の逆位相のノイズキャンセル音を拡声出力することで、画像処理動作の効率を確保しつつ音声の取り込みにおける騒音の混入を抑制する状態で行う。なお、図７において、図３と同様の処理ステップには、同一のステップナンバを付与して、その説明を簡略化する。
【０１０１】
本体ＣＰＵ２は、スキャンキー２１が操作（押下）されると（ステップＳ１０１）、音声録音キー１５が操作（押下）されたかチェックする（ステップＳ１０２）。
【０１０２】
ステップＳ１０２で、音声録音キー１５が操作されないと、本体ＣＰＵ２は、画像読取部７を駆動させて原稿読取動作を行わせ、全ての原稿の読み取りが完了すると、画像処理を終了する（ステップＳ１０３）。
【０１０３】
ステップＳ１０２で、音声録音キー１５が操作されると、本体ＣＰＵ２は、動作状態を判別して（ステップＳ１０４）、騒音レベルが予め設定されている限界閾値より大きいかチェックする（ステップＳ１０５）。
【０１０４】
ステップＳ１０５で、騒音レベルが限界閾値以下であると、本体ＣＰＵ２は、画像読取部７を駆動させて、セットされている枚数の原稿を画像読取部７に読み取らせる読み取りを開始する（ステップＳ１０６）。
【０１０５】
本体ＣＰＵ２は、原稿の読み取りを開始させると、マイク２０に操作者の音声を収集させ（ステップＳ１０７）、収集した音声の音声データを音声データメモリ１９に格納する音声録音を開始する（ステップＳ１０８）。
【０１０６】
本体ＣＰＵ２は、操作者による音声録音キー１５による録音終了操作があるか、または、録音時間設定キー１６で設定された録音時間が経過すると、録音処理を終了する。
【０１０７】
したがって、この場合、原稿の読み取りを行いつつ、周囲騒音が限界閾値以下の状態で音声録音を行うことができる。
【０１０８】
ステップＳ１０５で、騒音レベルが限界閾値よりも大きいと、本体ＣＰＵ２は、画像読取部７を駆動させて、セットされている枚数の原稿を画像読取部７に読み取らせる読み取りを開始する（ステップＳ１０９）。本体ＣＰＵ２は、原稿の読み取りを開始すると、マイク２０に操作者の音声を収集させるとともに（ステップＳ３０１）、ノイズ収集マイク４１に騒音データ（ノイズデータ）の収集を開始させる（ステップＳ３０２）。
【０１０９】
本体ＣＰＵ２は、ノイズデータを位相変換ノイズ出力部４２に、逆位相変換させ、位相変換後の音声をノイズキャンセル音として出力させる（ステップＳ３０３）。
【０１１０】
本体ＣＰＵ２は、騒音の逆位相音であるノイズキャンセル音を位相変換ノイズ出力部４２から出力させて、騒音が該ノイズキャンセル音によって低減された状態の音声をマイク２０に収集させる（ステップＳ３０３、Ｓ３０１）。すなわち、本体ＣＰＵ２は、ノイズ収集マイク４１の取り込んだノイズの逆位相のノイズキャンセル音を位相変換ノイズ出力部４２から拡声出力させ、該ノイズキャンセル音によってノイズの低減された音声をマイク２０に収集させる。
【０１１１】
本体ＣＰＵ２は、騒音が除去された音声データを、音声データメモリ１９に格納する音声録音を開始する（ステップＳ１０８）。
【０１１２】
本体ＣＰＵ２は、操作者による音声録音キー１５による録音終了操作があるか、または、録音時間設定キー１６で設定された録音時間が経過すると、録音処理を終了する。
【０１１３】
したがって、この場合においても、原稿の読み取りを行いつつ、周囲騒音が限界閾値以下の状態で音声録音を行うことができる。
【０１１４】
このように、本実施例の複合装置４０は、前記逆位相音生成手段が、外部の騒音を収集するノイズ収集マイク（騒音収集手段）４１と、前記ノイズ収集マイク４１の収集する前記騒音を逆位相音に変換する位相変換ノイズ出力部（逆位相音変換手段）４２と、を備えている。
【０１１５】
したがって、音声録音を行う際の外部の騒音の逆位相音を生成して、該騒音をより一層効率的にかつ適切に低減させることができる。その結果、複合装置１の動作を妨げることなく、画像の読み取りと音声の録音を行ない、画像処理動作の効率をより一層向上させつつ、音声の取り込みにおける騒音の混入を抑制することができる。
【０１１６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１７】
１  複合装置
２  本体ＣＰＵ
３  本体ＲＯＭ
４  本体ＲＡＭ
５  プロッタ部
６  操作パネル
７  画像読取部
８  画像メモリ
９  ＬＡＮ  Ｉ／Ｆ
１０  バス
１１  操作部ＣＰＵ
１２  操作部ＲＯＭ
１３  操作部ＲＡＭ
１４  音声出力部
１５  音声録音キー
１６  録音時間設定キー
１７  表示部
１８  ＣＯＤＥＣ
１９  音声データメモリ
２０  マイク
２１  スキャンキー
２２  ノイズデータメモリ
３０  複合装置
３１  ノイズデータメモリ
３２  ノイズ出力部
４０  複合装置
４１  ノイズ収集マイク
４２  位相変換ノイズ出力部
【先行技術文献】
【特許文献】
【０１１８】
【特許文献１】特開平４−３４３５６１号公報
【図１】
2016111472.tif 000003
【図２】
2016111472.tif 000004
【図３】
2016111472.tif 000005
【図４】
2016111472.tif 000006
【図５】
2016111472.tif 000007
【図６】
2016111472.tif 000008
【図７】
2016111472.tif 000009